【事件の表示】
　平成　８年特許願第３５２１７０号「光ディスクカートリッジイジェクト機構」拒絶査定不服審判事件〔平成１０年　６月２６日出願公開、特開平１０−１７２２１９〕について、次のとおり審決する。
【結　論】
　本件審判の請求は、成り立たない。
【理　由】
１　手続きの経緯・本願発明
　本願は、平成８年１２月１２日の出願であって、その請求項１及び２に係る発明は、平成１２年７月２５日付け及び平成１６年４月２３日付けの各手続補正書によって補正された特許請求の範囲の請求項１及び２に記載されたとおりのものである。そのうち請求項１に係る発明（以下、「本願発明」という。）は次に記載されるとおりのものである。
　
「挿入された光ディスクカートリッジを再生位置に保持するホルダと、光ディスクカートリッジを前記ホルダに挿入排出する挿入排出機構と、弾力により光ディスクカートリッジのシャッターの開閉用穴に突入するシャッター開閉部材とを備え、光ディスクカートリッジが前記シャッター開閉部材の弾力を受けない位置まで排出されるように構成した光ディスクカートリッジイジェクト機構。」
　
２　引用例
　これに対して、原査定の拒絶の理由に引用された、特開平７−２２６０００号公報（以下、「引用例」という。）には、カートリッジローディング装置について、図面とともに次の事項が記載されている（なお、下線は当審で付した。）。
　
（ａ）
「【０００１】
【産業上の利用分野】本発明は、例えばディスク状情報記録媒体(以下、ディスクという)をケース内に回転自在に内蔵したディスクカートリッジを用いて、ディスクに情報を記録／再生するディスク記録再生装置に用いられる
カートリッジローディング装置
　
（ｂ）
「【００１１】図１は本発明の一実施例におけるカートリッジローディング装置の要部とディスクカートリッジの外観斜視図を示している。図１において、２Ａはガイド溝、２Ｄはディスクカートリッジ２の端面、３Ａはシャッタ３に形成された係合孔、３Ｂはシャッタ３の端部、
10はカートリッジローディング装置の基体(以下、シャーシという)、
11は、前記ディスクカートリッジの上面を押圧して接触し駆動するように、シャーシ10に回転自在に軸支してある転接部材(以下、ローラという)、
ローディングモータ、16は板バネ，コイルバネ，スポンジなどの弾性体を用い一端をシャーシ10に固定され係合孔３Ａと係合する弾性部材
【００１２】
図２は本実施例のカートリッジローディング装置のディスクカートリッジの着脱動作時の正面図を
　
（ｃ）
「【００１４】次に、上記実施例の動作を図を用いて説明する。まず、ディスクカートリッジ２を装着する動作は、操作者がディスクカートリッジ２を案内面10Ｃ，10Ｄに沿わせてシャーシ10内に挿入し始めると、検出手段17がディスクカートリッジ２を検出する。するとローディングモータ15のモータ軸が回転し、回転駆動力がウォーム14，ウォームホイール13，ウォーム平ギヤ13Ａ，平ギヤ12を介してローラ11に伝達される。ローラ11が回転駆動することでディスクカートリッジ２が自動的にシャーシ10内へとさらに送りこまれ、ディスクカートリッジ２のガイド溝２Ａの側面上を弾性部材16が弾性変形しながら摺動する。」
　
（ｄ）
「【００１７】次に、
ディスクカートリッジ２を排出する動作
ローディングモータ15のモータ軸が装着動作時とは逆に回転することで、装着動作同様に回転駆動力がローラ11に伝わっているので、ローラ11も装着動作時とは逆に回転駆動する。
　また、弾性部材16と係合孔３Ａは係合しているので、ディスクカートリッジ２が排出され始めると同時にシャッタ３が閉成し始める。その際も、シャッタ３の開成動作同様にローラ11とシャッタ３は接触しない。シャッタ３が開口部２Ｃを完全に覆って閉成動作が完了すると、係合孔３Ａから弾性部材16が離脱しディスクカートリッジ２のガイド溝２Ａの側面上を弾性部材16が弾性変形しながら摺動する。さらに
ローラ11が回転駆動することでディスクカートリッジ２はシャーシ10から排出される。
　
（ｅ）図２には、ディスクカートリッジ２の着脱動作時の弾性部材１６とローラ１１が図示されている。
　
　上記記載及び図面を参照すると、引用例１には、次の発明が記載されてる（以下、「引用例発明」という）。
「シャーシと、
　前記シャーシに回転自在に軸支され、ディスクカートリッジの上面を押圧して駆動するローラと、
　前記ローラを回転駆動するローディングモータと、
　前記シャーシに固定され、シャッタの係合孔に係合する弾性部材とを有するディスクローディング装置において、
　前記ローディングモータのモータ軸が装着動作時とは逆に回転することで、ディスクカートリッジが前記シャーシ内から排出されるディスクローディング装置。」
　
　
３　対比
　次に、本願発明と引用例発明とを対比する。
　引用例発明と本願発明の「ディスクカートリッジ」は共通し、引用例発明の「シャッタ」は、本願発明の「シャッター」に相当する。
　引用例発明のシャッタの「係合孔」は、本願発明のシャッターの「開閉用穴」に相当する。
　引用例発明の「シャーシ」は、ディスクに情報を記録または再生するディスク記録再生装置のものであり、ディスクを再生するために、ディスクカートリッジを装着の完了した状態に保持することは明らかであるから、本願発明の挿入されたディスクカートリッジを再生位置に保持する「ホルダ」に相当する。
　引用例発明の、シャーシに回転自在に軸支されたローラや前記ローラを回転駆動するローディングモータは、ディスクカートリッジをシャーシに装着または排出する構成を形成する点において、本願発明の、ディスクカートリッジをホルダに挿入排出する「挿入排出機構」に相当する。
　引用例発明の、シャッタの係合孔と係合する「弾性部材」は、シャッタを開閉する点において、本願発明の、弾力によりディスクカートリッジのシャッターの開閉用穴に突入する「シャッター開閉部材」に相当する。
　引用例発明の、ローディングモータのモータ軸が装着動作時とは逆に回転することで、ディスクカートリッジが前記シャーシ内から排出されるディスクローディング装置は、ディスクカートリッジが排出される構成を備えていることは明らかであり、本願発明の、「ディスクカートリッジが」「排出されるように構成した」「ディスクカートリッジイジェクト機構」に相当する。
　
　したがって、両者の一致点及び相違点は、次のとおりである。
＜一致点＞
「挿入されたディスクカートリッジを再生位置に保持するホルダと、
　ディスクカートリッジを前記ホルダに挿入排出する挿入排出機構と、
　弾力によりディスクカートリッジのシャッターの開閉用穴に突入するシャッター開閉部材とを備え、
　ディスクカートリッジが排出されるように構成したディスクカートリッジイジェクト機構。」　
　
＜相違点＞
（１）ディスクカートリッジについて、本願発明は「光ディスクカートリッジ」と特定しているのに対して、引用例発明ではこのように特定していない点。
（２）ディスクカートリッジが排出される位置について、本願発明は「シャッター開閉部材の弾力を受けない位置まで」と特定しているのに対して、引用例発明ではこのように特定していない点。
　
 ４　当審の判断
　上記相違点について検討する。
　
ア．相違点（１）について
　光ディスク及び光ディスクカートリッジは周知（特開平６−２６７１７０号公報のミニディスクカートリッジ１、特開平７−１９２４１８号公報の光磁気ディスクカートリッジ１を参照）であり、引用例発明において、ディスクカートリッジを周知の光ディスクカートリッジとすることは、当業者が容易になし得ることである。 
　
イ．相違点（２）について
　引用例発明において、シャッタの係合孔に係合する弾性部材は、ディスクカートリッジ装着動作時にはシャッタを開成し、ディスクカートリッジの排出動作時にはシャッタを閉成するものであり、ディスクカートリッジの排出動作時において、ディスクカートリッジがローラで排出される前に、シャッタはディスクカートリッジの開口部を完全に覆うように構成されている（【００１７】段落〔２．（ｄ）に摘記〕参照）。
　したがって、ディスクカートリッジが筐体から突出した状態でディスクカートリッジを記録再生装置の筐体から手で取り出す際、弾性部材は既にシャッタを閉成しており、ディスクカートリッジの側面も弾性部材の弾性を受ける必要がないことは明らかである。
　しかも、引用例の図１を参照すると、同図に示されるカートリッジローディング機構において、弾性部材１６はローラ１１よりシャーシの奥側に設けられていることが明らかであり、又、引用例の【００１４】段落〔２．（ｃ）に摘記〕を参照すると、操作者がディスクカートリッジをシャーシに挿入後モータが回転し、ローラ１１が回転駆動することでディスクカートリッジが、更にシャーシ内に送り込まれて、ディスクカートリッジのガイド溝の側面上を弾性部材が弾性変形しながら摺動するのであるから、ディスクカートリッジのシャーシへの挿入直後、及び、シャーシから排出された後は、弾性部材がガイド溝の側面上を摺動してはいないと解するのが妥当な解釈であるし、仮にそうでないとしても、例えば特開平６−２６７１７０号公報において示されるように、「カートリッジ脱着時の挿入感及び取出感を良好にする」ために脱着時にシャッタ開閉動作を行うレバー２５をカートリッジから離間するようにする機構がすでに知られているのであるから、ディスクカートリッジがシャーシから排出された後は、弾性部材がガイド溝の側面上を摺動しない配置とすることは、当業者が容易に想到しうることにすぎないものである。
　結局のところ、引用例の図２において参照されるように、ディスクカートリッジがローラに押圧制止されて、記録再生装置の筐体からディスクカートリッジが突出した状態において、ディスクカートリッジが弾性部材の弾力を受けない位置まで排出されるように構成することは、当業者が容易になし得ることと認められる。
　そして、上面がローラに押圧制止されて、弾性部材の弾力を受けない位置まで排出されたディスクカートリッジは傾くことがないことは、容易に推察できることである。また、本願発明の明細書の記載をみても、光ディスクカートリッジがシャッター開閉部材の弾力を受けない位置まで排出されるように構成したことに格別の工夫をしたとも見いだすことができないから、この点に格別の困難性を認めることができない。
　結局、前記各相違点は、格別なものではなく、また、前記各相違点を総合的に検討しても奏される効果は当業者が当然に予測できる範囲内のものと認められる。
　
　
５　むすび
　以上のとおり、本願の請求項１に係る発明は、引用例に記載された発明に基いて、当業者が容易に発明をすることができたものであるから、特許法第２９条第２項の規定により特許を受けることができない。
  したがって、本願は、他の請求項について検討するまでもなく、拒絶すべきものである。
　よって、結論のとおり審決する。